(57)【要約】本発明は、操作パネル（６）の前面側に携帯機器装着用のホルダー（１５）を設け、このホルダー（１５）は、操作部（７、８、９）と表示部（１０）の少なくとも一方を間にして対向するように操作パネル（６）の両側部分に設けた本体ケース取付部（１６）と、この両側の本体ケース取付部（１６）間に橋架状に設けた支持部（１７）とを有し、本体ケース取付部（１６）は、操作パネル（６）を貫通し、操作パネル（６）の前面側において支持部（１７）を固定する支持部固定部（１９）を有し、操作パネル（６）の背面側において本体ケース（５）に固定する本体ケース固定部（２０）を有する。
2013008388.tif 000002
【特許請求の範囲】
【請求項１】
金属製の本体ケースと、この本体ケースの前面側に装着された操作パネルと、この操作パネルに設けられた操作部、および、表示部とを備え、
前記操作パネルの前面側に携帯機器装着用のホルダーを設け、このホルダーは、前記操作部と表示部の少なくとも一方を間にして対向するように前記操作パネルの両側部分に設けた本体ケース取付部と、この両側の本体ケース取付部間に橋架状に設けた支持部とを有し、前記本体ケース取付部は、前記操作パネルを貫通し、前記操作パネルの前面側において前記支持部を固定する支持部固定部を有し、前記操作パネルの背面側において前記本体ケースに固定する本体ケース固定部を有する構成とした車載用オーディオ装置。
【請求項２】
前記本体ケースは、箱状とし、この本体ケースの前面板、あるいは、外周板に、前記ホルダーの前記本体ケース固定部を固定する構造とした請求項１に記載の車載用オーディオ装置。
【請求項３】
前記操作パネルの背面側には、この操作パネルを固定する前記本体ケースの前面板を配置し、この前面板には車両取付部を設けた請求項２に記載の車載用オーディオ装置。
【請求項４】
前記本体ケースの前記前面板は、前方から見た状態で外周板の外周径よりも大きくした請求項３に記載の車載用オーディオ装置。
【発明の詳細な説明】
【技術分野】
【０００１】
本発明は、例えば車載用オーディオ装置に関するものである。
【背景技術】
【０００２】
従来の車載用オーディオ装置は、金属製の本体ケースの前面側に操作パネルを装着し、この操作パネルには、操作部と表示部が設けられていた。【０００３】
このような車載用オーディオ装置においては、操作部で操作した内容でオーディオが起動され、その起動内容が表示部に表示されるようになっていた。【０００４】
そして、近年このオーディオ装置の機能を向上させるために携帯機器（例えば携帯電話）と連携させるものが提案されている（特許文献１参照）。【０００５】
上述の如く、携帯機器と車載用オーディオ装置を連携させた場合には、携帯機器が持つ音楽情報を車載オーディオ装置に提供することができるので、車載用オーディオ装置としての機能を高めることはできる。【０００６】
しかしながら、このように携帯機器と車載用オーディオ装置を連携させようとした場合、携帯機器は車内のコンソールボックス内などに収納されるようになっており、このような状態では、現在再生されている携帯機器の再生状況が分からず、使い勝手の悪いものであった。【０００７】
そこで本発明は、車載用オーディオ装置の使い勝手を良くすることを目的とするものである。
【先行技術文献】
【特許文献】
【０００８】
【特許文献１】特開２００１−２９６８７５号公報
【発明の概要】
【０００９】
本発明は、金属製の本体ケースと、この本体ケースの前面側に装着された操作パネルと、この操作パネルに設けられた操作部、および、表示部とを備える。操作パネルの前面側に携帯機器装着用のホルダーを設け、このホルダーは、操作部と表示部の少なくとも一方を間にして対向するように操作パネルの両側部分に設けた本体ケース取付部と、この両側の本体ケース取付部間に橋架状に設けた支持部とを有する。本体ケース取付部は、操作パネルを貫通し、操作パネルの前面側において支持部を固定する支持部固定部を有し、操作パネルの背面側において前記本体ケースに固定する本体ケース固定部を有する構成とし、これにより所期の目的を達成するものである。
【図面の簡単な説明】
【００１０】
【図１】図１は、本発明の第１の実施の形態にかかる車載用オーディオ装置を搭載した車両の平面図である。
【図２】図２は、本発明の第１の実施の形態にかかる車載用オーディオ装置の要部斜視図である。
【図３】図３は、本発明の第１の実施の形態にかかる車載用オーディオ装置の分解斜視図である。
【図４】図４は、本発明の第１の実施の形態にかかる車載用オーディオ装置の分解斜視図である。
【図５】図５は、本発明の第１の実施の形態にかかる車載用オーディオ装置の斜視図である。
【図６】図６は、本発明の第１の実施の形態にかかる車載用オーディオ装置の制御ブロック図である。
【図７】図７は、本発明の第２の実施の形態にかかる車載用オーディオ装置の要部斜視図である。
【図８】図８は、本発明の第２の実施の形態にかかる車載用オーディオ装置の斜視図である。
【発明を実施するための形態】
【００１１】
（第１の実施の形態）
図１に示すように、車両本体１の室内２の前方には、ハンドル３と車載用オーディオ装置４が設置されている。
【００１２】
この車載用オーディオ装置４は、図２、図３に示すように、金属製の本体ケース５と、この本体ケース５の前面側に装着された操作パネル６と、この操作パネル６に設けられた操作部７、８、９、および、表示部１０とを備えている。
【００１３】
すなわち、図２に示す携帯機器の一例である携帯電話１１との連携をしないときには、操作部７、操作部８、または操作部９を操作することで図６に示す制御部１２を動作させる。そして、例えば、記憶部１２ａに記憶された周波数に基づいて受信部１２ｂがラジオの選局をし、出力部１３を介してスピーカ１４から音声を出力させる構成となっている。また、その選局情報は表示部１０に表示させる構成となっている。
【００１４】
さらに、操作パネルの前面側には、携帯電話１１との連携を図るために、図３、図５に示すような携帯機器装着用のホルダー１５を設けている。
【００１５】
このホルダー１５は、操作部７、８、９と表示部１０を間にして対向するように、操作パネル６の両側部分に設けた本体ケース取付部１６と、この両側の本体ケース取付部１６間に橋架状に設けた支持部１７を有する。また、このホルダー１５の本体ケース取付部１６は、操作パネル６に設けた貫通孔１８を貫通する。さらに、図３に示すように、本体ケース取付部１６には、操作パネル６の前面側においては、支持部１７を固定する支持部固定部１９を有する。また、この本体ケース取付部１６には、操作パネル６の背面側において本体ケース５に固定する本体ケース固定部２０を有する。
【００１６】
つまり、このホルダー１５の本体ケース取付部１６は、操作パネル６に設けた貫通孔１８を貫通し、その本体ケース固定部２０が本体ケース５に固定されるようになっている。一方、本体ケース５は、図４に示すように箱状となっており、この実施の形態では、この箱状の本体ケース５の前面板５ａあるいは、外周板５ｂに、ホルダー１５の本体ケース固定部２０を固定する構造としている。この点についてさらに詳細に説明すると、前面板５ａの、操作パネル６に設けた貫通孔１８に対向する部分には貫通孔Ａが設けられており、この貫通孔Ａの背面側には、この前面板５ａから９０度の後方に折り返した固定部Ｂが設けられており、この固定部Ｂの両側にホルダー１５の本体ケース固定部２０が重なるように配置され、その状態で図３に示すネジ２１を本体ケース固定部２０から固定部Ｂにねじ込むことで、このホルダー１５は本体ケース５に固定されるようになっている。
【００１７】
この固定された状態が、図５に示す状態であり、ホルダー１５の支持部固定部１９に支持部１７を装着し、次に支持部１７の前面側に角度調整体２２を配置し、前方からネジ２３をカバー２４、角度調整体２２、支持部１７を介して支持部固定部１９にねじ込むことで、ホルダー１５に支持部１７、角度調整体２２が一体化される。
【００１８】
角度調整体２２は、ヒンジ機構を有するもので、その前方に配置した保持部２５を後方からねじ込んだネジ２６で一体化し、図２の状態とする。
【００１９】
すなわち、保持部２５は、携帯電話１１の上下の長辺を保持する構成となっている。
【００２０】
さて、このようにして操作パネル６の前面側に携帯電話１１が一体化された状態では、電気的な構成は、図６に示す制御ブロック図のような状態となっている。
【００２１】
つまり、携帯電話１１の通信部２７と、車載用オーディオ装置４の通信部２８間で通信が行われるようになっている。これにより例えば、入力部３２で操作された、携帯機器の一例である携帯電話１１の記憶部２９に記憶された音楽を制御部３０から通信部２７、２８を介して、車載用オーディオ装置４に伝達し、その音楽を制御部１２、出力部１３を介してスピーカ１４から出力させることができる。
【００２２】
また、車載用オーディオ装置４に設けた表示部１０は、ラジオの選局を示すだけの小さなものであるので、例えばスピーカ１４から出力されている音楽情報（曲名や歌詞等）を携帯電話１１の表示部３１に表示させるようにすれば、この点からも使い勝手の良いものとすることができる。
【００２３】
なお、本体ケース５の外周板５ｂと、前面板５ａと、この前面板５ａに接続している本体ケース取付部１６の三者は、電気的にも接続されている。つまり、前面板５ａと、外周板５ｂと、本体ケース取付部１６は導通状態にある。
【００２４】
また、図４から理解されるように、本体ケース５の前面板５ａは、前方から見た状態で外周板５ｂの外周径よりも大きくしており、このように大きくした前面板５ａの左右上下には車両取付部５ｃを設けている。この車両取付部５ｃは、図２、図３からも理解されるようにその前面側に設けた操作パネル６の外形よりも外に突出した状態となっている。このため、図５に示す状態の本体ケース５を車両に取り付けるときには、車両の車載オーディオ装置取付部（図示せず）に本体ケース５の外周板５ｂを挿入し、その状態で車両取付部５ｃの前方からネジ（図示せず）を後方側にねじ込めば、この車載オーディオ装置取付部に車載用オーディオ装置４を取り付けることができる。
【００２５】
この状態で、図２に示す如く携帯電話１１を保持部２５に保持させれば、携帯電話１１と車載用オーディオ装置４の連携を図ることができる。
【００２６】
（第２の実施の形態）
図７、図８は、本発明の第２の実施の形態の他の使用例を示したものであり、この例では、本体ケース５に設けた操作パネル６の前方に装着する携帯電話１１ａが図２に示す携帯電話１１よりも大きなものとなっている。このため、このときには、図３で示した角度調整体２２にネジ２６でネジ止めしていた保持部２５を取り外し、携帯電話１１ａ用の大き目の保持部２５ａを図３で示したネジ２６によって図３で示した角度調整体２２にネジ止めするようにしている。
【００２７】
つまり、携帯電話１１、１１ａの大きさが変わった場合には、それに応じて角度調整体２２に取り付ける保持部２５、２５ａを適宜選択することになるのである。
【００２８】
以上のように本発明は、金属製の本体ケースと、この本体ケースの前面側に装着された操作パネルと、この操作パネルに設けられた操作部、および、表示部とを備える。操作パネルの前面側に携帯機器装着用のホルダーを設け、このホルダーは、操作部と表示部の少なくとも一方を間にして対向するように操作パネルの両側部分に設けた本体ケース取付部と、この両側の本体ケース取付部間に橋架状に設けた支持部とを有する。本体ケース取付部は、操作パネルを貫通し、操作パネルの前面側において支持部を固定する支持部固定部を有し、操作パネルの背面側において本体ケースに固定する本体ケース固定部を有する構成としたものであるので、使い勝手を良くすることができる。
【００２９】
すなわち、本発明においては、操作パネルの前面側に携帯機器装着用のホルダーを設けたものであるので、携帯機器と車載用オーディオ装置を連携させるべくホルダーに携帯機器を保持させた場合、前面側から携帯機器を目視することができる。その結果現在再生されている携帯機器の再生状況も用意に確認でき、極めて使い勝手の良いものとすることができるのである。
【００３０】
また、本発明のホルダーは、操作部と表示部の少なくとも一方を間にして対向する操作パネルの両側部分に設けた本体ケース取付部と、この両側の本体ケース取付部間に橋架状に設けた支持部とを有する。本体ケース取付部は、操作パネルを貫通し、操作パネルの前面側において前記支持部を固定する支持部固定部を有し、操作パネルの背面側において本体ケースに固定する本体ケース固定部を有する構成としたものである。従って、ホルダーの強度を高めることができるだけでなく、ホルダーのアース対策も講じるできることができる。具体的には、ホルダーの両側部分に設けた本体ケース取付部は、操作パネルを貫通し、その本体ケース固定部を本体ケースに固定するので、強度は高く、しかも本体ケースが有するアース対策を活用することもできるのである。
【産業上の利用可能性】
【００３１】
以上のように、本発明は前記操作パネルの前面側に携帯機器装着用のホルダーを設けたものであるので、携帯機器と車載用オーディオ装置を連携させるべくホルダーに携帯機器を保持させた場合、前面側から携帯機器を目視することができる。その結果現在再生されている携帯機器の再生状況も用意に確認でき、極めて使い勝手の良いものとすることができるのである。【００３２】
したがって、車載用オーディオ装置としての活用が期待されるものとなる。
【符号の説明】
【００３３】
１    車両本体
２    室内
３    ハンドル
４    車載用オーディオ装置
５    本体ケース
５ａ    前面板
５ｂ    外周板
５ｃ    車両取付部
６    操作パネル
７，８，９    操作部
１０    表示部
１１，１１ａ    携帯電話（携帯機器の一例）
１２    制御部
１２ａ    記憶部
１２ｂ    受信部
１３    出力部
１４    スピーカ
１５    ホルダー
１６    本体ケース取付部
１７    支持部
１８    貫通孔
１９    支持部固定部
２０    本体ケース固定部
２１    ネジ
２２    角度調整体
２３    ネジ
２４    カバー
２５，２５ａ    保持部
２６    ネジ
２７，２８    通信部
２９    記憶部
３０    制御部
３１    表示部
３２    入力部
Ａ    貫通孔
Ｂ    固定部
【図１】
2013008388.tif 000003
【図２】
2013008388.tif 000004
【図３】
2013008388.tif 000005
【図４】
2013008388.tif 000006
【図５】
2013008388.tif 000007
【図６】
2013008388.tif 000008
【図７】
2013008388.tif 000009
【図８】
2013008388.tif 000010
【国際調査報告】
2013008388.tif 000011
2013008388.tif 000012
2013008388.tif 000013